(57)【要約】【課題】比較的安価に製造でき、イベントの際以外にも利用価値のあるイベントの演出具を提供する。【解決手段】赤外リモコン信号のキャリア周波数に略等しい周波数の赤外線搬送波で制御信号が振幅変調された赤外イベント信号を判別し、赤外イベント信号から復調した制御信号により動作部（６Ａ、６Ｂ）が所定の動作を実行する演出具であって、判別部（１１）は、赤外リモコン信号の受光を判別した際にも、動作部（６Ａ、６Ｂ）が所定の動作を実行する。演出具の受光素子（７）及び復調素子（１０）に、赤外リモコン信号の受光側で用いる汎用素子を用いることができるので、安価に製造でき、また、赤外リモコン信号でも動作するおもちゃとしてイベントから持ち帰っても利用できる。【選択図】　図１
2004113305.tif 000002
【特許請求の範囲】
【請求項１】
家電機器の遠隔制御に用いられる赤外リモコン信号のキャリア周波数に略等しい周波数の赤外線を受光する受光部（３）と、
イベントの観覧エリアに向けて発光され、赤外リモコン信号のキャリア周波数に略等しい周波数の赤外線搬送波で制御信号が振幅変調された赤外イベント信号を判別する判別部（１１）と、
赤外イベント信号から制御信号を復調する復調部（１０）と、
制御信号により所定の動作を実行する動作部（６Ａ、６Ｂ）とを備えた演出具であって、
判別部（１１）は、受光部（３）が受光した赤外線から、赤外イベント信号の他に赤外リモコン信号を判別し、
赤外リモコン信号の受光を判別した際に、動作部（６Ａ、６Ｂ）が所定の動作を実行することを特徴とするイベントの演出具。
【請求項２】
判別部（１１）は、赤外イベント信号の受光を判別した際には、赤外リモコン信号の判別を行わないことを特徴とする請求項１記載のイベントの演出具。
【請求項３】
受光部（３）が受光した赤外線を、赤外リモコン信号のキャリア周波数に略等しい周波数で復調した一次復調信号に、２００ｕｓｅｃ乃至１３００ｕｓｅｃのパルス幅のパルス波形が、２ｍｓｅｃ以内に再び出現した際に、赤外リモコン信号と判別することを特徴とする請求項２記載のイベントの演出具。
【請求項４】
演出具は、更に、操作スイッチ（５）を備え、
判別部（１１）が、赤外イベント信号の受光を判別しない間は、操作スイッチ（５）の入力操作により動作部（６Ａ、６Ｂ）に所定の動作を実行させることを特徴とする請求項１乃至３のいずれか１項に記載のイベントの演出具。
【請求項５】
動作部は、複数の表示用発光素子（６Ａ、６Ｂ）からなるとを特徴とする請求項１乃至４のいずれか１項に記載のイベントの演出具。
【発明の詳細な説明】
【０００１】
【発明の属する技術分野】
本発明は、コンサートや野外で行われるショー等のイベント中に、各観客が携帯し、イベントの進行に合わせて発光、振動などの動作を行わせてイベントの演出効果を高める演出具に関し、更に詳しくは、家庭内に持ち帰った後も、所定の動作を実行させて楽しめるイベントの演出具に関する。
【０００２】
【従来の技術】
コンサート、アミューズメントパーク内で定期的に行われるショー等のイベントでは、イベントの観客が表示用発光素子を備えたスティック、アクセサリー等の演出具を携帯し、イベント中に表示用発光素子を点滅させるなどして、その演出効果を高めている。
【０００３】
特に、多数の観客が携帯する演出具が、イベントの進行に合わせて同時に表示用発光素子を点滅するとより演出効果が高まるので、観客が集合する観覧エリアの周囲に発信装置を配設し、発信装置から発信される制御信号によって、表示用発光素子が点滅制御される演出具１００が、特開２０００−２６０２１２号により開示されている。
【０００４】
図６は、この従来の演出具１００がイベントに用いられる状態を示す説明図であり、イベントの観覧エリア１０１の周囲に、演出具１００の動作を制御する制御信号を発信する発信装置１０２が配置される。
【０００５】
発信装置１０２は、観覧エリア１０１の周囲に配設された複数の送信アンテナ１０３Ａ、１０３Ｂと通信ケーブル１０４で接続し、発信装置１０２に備えられたスイッチ１０２ａを押圧操作すると、発信装置１０２から発信される制御信号が送信アンテナ１０３Ａ、１０３Ｂに伝送され、送信アンテナ１０３Ａ、１０３Ｂから制御信号を含む電波が発信される。
【０００６】
観覧エリア１０１にイベントを観るために集合した観客は、それぞれ、図７に示す演出具１００を携帯している。演出具１００は、観客の衣服に着けて携帯するエンブレムに演出具１００としての各機能を備えたもので、エンブレム形状としたケース本体１１０内に、制御信号を含む電波を受信する受信回路を内蔵する制御部１０５と、制御信号により点滅制御される動作部となる発光ダイオード１０６及びＥＬシート１０７と、これらの電源となるバッテリー１０８を備えている。
【０００７】
イベントの進行に合わせて、イベント進行者が所定のタイミングで発信装置１０２のスイッチ１０２ａを押圧すると、制御信号を含む電波が観覧エリア１０１に送信され、各観客が携帯する演出具１００、１００・・の発光ダイオード１０６及びＥＬシート１０７は、制御信号により同時に点滅する。
【０００８】
従って、観客は、イベントの進行に伴って携帯している演出具１００が点滅するので、イベントの演出者側と一体感ができ、高い演出効果が得られる。
【０００９】
【発明が解決しようとする課題】
しかしながら、この従来の演出具１００では、制御信号を含む電波を受信し、他の電波によって誤動作しない受信回路を制御部１０５に備える必要があるので、製造単価が上昇するという問題があった。
【００１０】
一方、受信回路に高い受信性能を求めずに安価に演出具１００を製造しようとすると、イベントに用いる音響機器等から出力される電波やノイズを受信し、制御信号を含む電波を受信していない間にも、発光ダイオード１０６、ＥＬシート１０７等の動作部が誤動作することがあり、一部の演出具１００がばらばらに動作し、却って演出効果が損なわれるものとなる。
【００１１】
また、演出具１００は、そのイベントのみで動作するものなので、観客が持ち帰った後は利用価値がなく、受信機能を備えて割高の演出具１００を、イベントの際のみに使用する為に買い求める観客は少なかった。しかしながら、この種の演出具１００は、多数の演出具１００をイベント中に同時に動作させるほどイベントの演出効果が上がるものであり、演出具１００が高価で、利用価値が少ないことが、このような演出具１００を用いたイベントを普及させる障害となっていた。
【００１２】
本発明はこのような問題点に鑑みてなされたもので、比較的安価に製造できるイベントの演出具を提供する。
【００１３】
また、イベントに使用される音響機器により誤動作しないイベントの演出具を提供する。
【００１４】
また、イベントの際以外にも利用価値のあるイベントの演出具を提供する。
【００１５】
【課題を解決するための手段】
請求項１の発明によるイベントの演出具は、家電機器の遠隔制御に用いられる赤外リモコン信号のキャリア周波数に略等しい周波数の赤外線を受光する受光部と、イベントの観覧エリアに向けて発光され、赤外リモコン信号のキャリア周波数に略等しい周波数の赤外線搬送波で制御信号が振幅変調された赤外イベント信号を判別する判別部と、赤外イベント信号から制御信号を復調する復調部と、制御信号により所定の動作を実行する動作部とを備えた演出具であって、
判別部は、受光部が受光した赤外線から、赤外イベント信号の他に赤外リモコン信号を判別し、赤外リモコン信号の受光を判別した際に、動作部が所定の動作を実行することを特徴とする。
【００１６】
イベントの観覧エリアに向けて発光された赤外イベント信号は、受光部で受光された後、判別部で他の赤外信号と判別され、復調部で制御信号が復調される。
【００１７】
動作部は、この制御信号により所定の動作を実行するので、多数の観客がイベント中にそれぞれ演出具を携帯していると、動作部が一斉に動作し、高い演出効果が得られる。
【００１８】
赤外イベント信号は、家電機器の遠隔制御に用いられる赤外リモコン信号のキャリア周波数に略等しい周波数の赤外線搬送波を用いて、制御信号が振幅変調されたものなので、受光部や復調部に、家電機器に備えられる汎用の受光素子や復調回路素子を用いることができ、安価に演出具を製造できる。
【００１９】
また、受光部で受光する赤外信号に、家電機器を遠隔制御する赤外リモコン信号を判別で判別すると、動作部に所定の動作を実行させるので、イベントから持ち帰った演出具は、家庭で用いるリモートコントロール送信機で遠隔制御できるるおもちゃとして利用できる。
【００２０】
演出具は、赤外信号を受光して動作部が動作するので、イベントに用いる音響機器から出力される電波や外部から受けるノイズによって誤動作することがない。
【００２１】
請求項２の発明によるイベントの演出具は、判別部が、赤外イベント信号の受光を判別した際には、赤外リモコン信号の判別を行わないことを特徴とする。
【００２２】
赤外イベント信号による制御が赤外リモコン信号に優先されるので、イベント中は、赤外リモコン信号により動作することがなく、観覧エリアにある全ての演出具をばらつきなく動作させることができる。
【００２３】
請求項３の発明によるイベントの演出具は、受光部が受光した赤外線を、赤外リモコン信号のキャリア周波数に略等しい周波数で復調した一次復調信号に、２００ｕｓｅｃ乃至１３００ｕｓｅｃのパルス幅のパルス波形が、２ｍｓｅｃ以内に再び出現した際に、赤外リモコン信号と判別することを特徴とする。
【００２４】
家電機器の遠隔制御に用いられる赤外リモコン信号は、多種類の信号が用いられているが、ほぼ同一のキャリア周波数であることから、受光部においてほぼ全ての種類の赤外リモコン信号を受光することができる。
【００２５】
また、このキャリア周波数で復調した一次復調信号は、パルス波形信号であり、各赤外リモコン信号により多種類のフォーマットで形成されているが、いずれもカスタムコード若しくはデータを表すパルスのパルス幅が２００ｕｓｅｃ乃至１３００ｕｓｅｃであり、少なくとも２ｍｓｅｃ以内にこの範囲のパルス幅が連続するものとなっている。
【００２６】
従って、一次復調信号に、２００ｕｓｅｃ乃至１３００ｕｓｅｃのパルス幅のパルス波形が、２ｍｓｅｃ以内に再び出現することを、赤外リモコン信号の判別条件とすることで、ほぼ全ての種類の赤外リモコン信号を他の赤外線と判別でき、家庭で用いるほぼ全てのリモートコントロール送信機で漏れなく動作する。
【００２７】
一方、蛍光灯などから瞬時発光される赤外線の一次復調信号には、２００ｕｓｅｃ以上のパルス幅は存在しないので、これらの赤外線は、赤外リモコン信号と明確に判別できる。
【００２８】
請求項４の発明によるイベントの演出具は、演出具が、更に、操作スイッチを備え、判別部が、赤外イベント信号の受光を判別しない間は、操作スイッチの入力操作により動作部に所定の動作を実行させることを特徴とする。
【００２９】
操作スイッチを入力操作することでも動作するので、イベント以外にも動作部が動作するおもちゃとして利用できる。
【００３０】
また、イベント中は、操作スイッチによって動作することがないので、観覧エリアにある特定の演出具のみが動作することがなく、赤外イベント信号によってのみ一斉に制御できる。
【００３１】
請求項５の発明によるイベントの演出具は、動作部が、複数の表示用発光素子からなるとを特徴とする。
【００３２】
赤外イベント信号を用いる為に夜間や屋内で行うイベントに用いられる演出具は、表示用発光素子が点滅制御されるので引き立ち、演出効果が高められる。
【００３３】
【発明の実施の形態】
以下、本発明の一実施の形態に係るイベントの演出具１を、図１乃至図５を用いて説明する。
【００３４】
図１は、演出具１の外観を示す正面図であり、手で握れる太さのスティック状ケース２の一端に円筒状の赤外フィルターで覆われた赤外受光部３と、赤外受光部３の更に先端に星形の発光部４が取り付けられ、また、ケース２の基端側握り部に操作スイッチ５が取り付けられている。
【００３５】
発光部４は、半透明の星形カバー内に取り付けられた動作部となる６個の発光ダイオード６Ａと、５個の発光ダイオード６Ｂで構成され、６個のＡ群の発光ダイオード６Ａは、星形の各先端位置に、５個のＢ群の発光ダイオード６Ｂは、星形の中央に円周上に配設されている。
【００３６】
図２は、演出具１の内部構成を示すブロック図であり、赤外受光部３内に配置されたフォトダイオード（ＰＤ）７が、赤外信号を受光する。フォトダイオード７で受光した赤信号は、光電変換された後、その後段に接続された電流電圧変換回路８で電圧変換され、バンドパスフィルタ９で、テレビジョン受像機やエアコン等の家電機器の遠隔制御の為にリモートコントロール送信機（以下、リモコンという）から出力されるリモートコントロール信号（以下、赤外リモコン信号という）のキャリア周波数とほぼ一致する周波数の光電変換信号が取り出される。
【００３７】
赤外リモコン信号は、家電機器の種類、製造メーカによりそれぞれ独自に設定されるものであり、各種異なるものであるが、概ね３８±０．５ＫＨｚの周波数で共通し、バンドパスフィルタ９は、この周波数帯域の光電変換信号を、後段の波形整形回路１０へ通過させるように設定されている。
【００３８】
波形整形回路１０は、エンベロープフォロワーを含み、バンドパスフィルタ９から出力された光電変換信号の包絡線が取り出され、パルス波形からなる一次復調信号に変換される。
【００３９】
これらのフォトダイオード７から波形整形回路１０までの各回路は、赤外リモコン信号で制御される家電機器に備えられている受光ＩＣで１チップ化されているものであり、これらの汎用の受光ＩＣをそのまま利用できる。
【００４０】
波形整形回路１０から出力される一次復調信号は、制御回路部１１へ入力される。制御回路部１１には、前述の操作スイッチ５とＡ群の６個の発光ダイオード６ＡとＢ群の５個の発光ダイオード６Ｂが接続されている。操作スイッチ５を除く演出具１内の各回路は、スティック状のケース２に収容される図示しない乾電池を電源として駆動するようになっている。
【００４１】
図３は、このように構成された演出具１を、イベントの際に用いる際の概要構成を表す説明図であり、ここでは、イベントの演出具１は、アミューズメントパークの広場で夜間に行われるショーを観るために集まった多数の観客が観覧エリア内でそれぞれ携帯しているものである。
【００４２】
イベントの観覧エリア周囲とエリア内には、複数の赤外信号発光部２１、２１・・が配設され、各赤外信号発光部２１は、光ファイバーケーブル２２、２２・・を介してコントロール室２０に接続されている。
【００４３】
コントロール室２０は、イベントの進行に合わせて所定のタイミングで制御信号を発信する発信制御部となるもので、例えば、ショーの公演中に流されるベース音を検知する毎に、検知したタイミングで、図４に示す赤外イベント信号Ａ、Ｂ、Ｃのいずれかの包絡線となるパルス波形信号（制御信号）を光信号に変換して光ファイバーケーブル２２へ送出する。
【００４４】
各赤外信号発光部２１とコントロール室２０とを、光ファイバーケーブル２２を介して接続することにより、電線によって位相がずれることなく、全ての赤外信号発光部２１が同時に制御信号を受信し、赤外イベント信号の発光を同期させている。
【００４５】
コントロール室２０から制御信号を発信するタイミングは、この例の他、イベントの主催者側の操作者が、イベントの進行に合わせて図示しないスイッチを操作し、制御信号を発信させるものであってもよい。
【００４６】
制御信号は、３ビットのデータコードをビットデータ毎にＬレベルの時間幅を異ならせるパルス距離変調（Ｐｕｌｓｅ　Ｐｉｃｈ　Ｍｏｄｕｌａｔｉｏｎ）し、その前後にリーダーコードとストップビットを組み合わせて１フレームとしたパルス波形信号であって、データコードが異ならる３種類の信号Ａ、Ｂ、Ｃのいずれかが、演出具１を制御する内容により選択され発信される。
【００４７】
例えば、データコードが（０，０，１）の信号Ａは、演出具１に備えられたＡ群のＬＥＤ（６Ａ）を点灯制御させる制御信号であり、データコードが（０，１，０）の信号Ｂは、演出具１に備えられたＢ群のＬＥＤ（６Ｂ）（図２参照）を点灯制御させる制御信号であり、データコードが（０，１，１）の信号Ｃは、Ａ，Ｂ群のＬＥＤ（６Ａ、６Ｂ）を点灯制御させる制御信号である。
【００４８】
リーダーコードは、この演出具で用いられる赤外イベント信号を、自然光、赤外リモコン信号等の他の赤外線と識別し、イベントが行われている際に、赤外信号発光部２１、２１から発光される赤外イベント信号のみを演出具１が識別して動作するように、ＨレベルとＬレベルの時間幅を、イベントで用いる特有の組み合わせに設定する。ここでは、図４に示すように、３ｍｓｅｃ幅のＨレベルに引き続く２ｍｓｅｃ幅のＬレベルの組み合わせを、リーダーコードとしている。
【００４９】
データコードの各ビットデータには、必ず６００ｕｓｅｃの時間幅のＨレベルが割り当てられ、ビットデータが「１」である場合には、Ｈレベルに引き続き、６００ｕｓｅｃの時間幅のＬレベルが、ビットデータが「０」である場合には、１２００ｕｓｅｃの時間幅のＬレベルが連続する。
【００５０】
赤外信号発光部２１は、図３に示すように、ショーを行うステージに隣接しショーを観るために観客が集まると予想される観覧エリアの全域に、これらの発光部２１、２１から発光される赤外イベント信号が漏れなく到達するように、観覧エリア内とその周囲の必要個所に配設される。
【００５１】
赤外信号発光部２１には、プリント配線基板上に、多数の赤外発光ダイオードを同一方向に向けて実装し、より遠くまで赤外イベント信号を到達させるように構成された遠距離型と、比較的広い指向角の赤外発光ダイオードを、異なる角度に向けて分散配置し、遠距離型の影になるエリアを補い赤外イベント信号を到達させる広指向角型とが、適宜組み合わせて配置されている。
【００５２】
各赤外信号発光部２１は、コントロール室２０から発信される上述の制御信号を受信すると、３８ｋＨｚ±０．５ｋＨｚの範囲内のキャリア周波数からなる搬送波でパルス信号である制御信号を振幅変調し、各赤外発光ダイオードから同時に赤外イベント信号として発信する。３８ｋＨｚ±０．５ｋＨｚの周波数の赤外搬送波は、赤外リモコン信号のキャリア周波数に一致させたもので、このように赤外搬送波の周波数を一致させることで、前述のように、演出具１側の各素子に汎用受光ＩＣを用いることができるとともに、赤外信号発光部２１側の発光素子、変調素子も、リモコンで用いられている汎用の発光素子、変調素子をそのまま使用することができる。
【００５３】
また、ほぼ同一の周波数の搬送波を用いて演出具１を動作させるので、家庭に演出具１を持ち帰り、家電機器を遠隔制御するリモコンで所定の動作を実行させることもできるようになる。
【００５４】
演出具１の動作部であるＡ群の発光ダイオード６ＡとＢ群の発光ダイオード６Ｂは、判別部となる制御回路部１１による判別若しくは、操作スイッチ５の入力操作により、動作制御されるもので、以下、図５のフローチャートに従ってその動作を説明する。
【００５５】
赤外イベント信号も操作スイッチ５によるスイッチ入力操作も検出されない演出具１の待機状態では、赤外イベント信号入力を判別するステップＳ１、スイッチ入力を判別するステップＳ２からなるループを繰り返し、演出具１は特に動作しない。
【００５６】
操作スイッチ５の入力操作があると、スイッチ入力を判別するステップＳ２からステップＳ３に進み、Ａ群の発光ダイオード６ＡとＢ群の発光ダイオード６Ｂを交互に点滅させる。従って、イベントが行われていない間は、操作スイッチ５を操作することにより、発光部４の星型の内外が交互に点滅するおもちゃとなる。
【００５７】
点滅動作を開始した後、ステップＳ４で例えば５秒程度のタイマーがセットされ、セットしたタイマーがオーバーフローするまで、その点滅動作が継続する。
【００５８】
タイマーがオーバーフローするとステップＳ５からステップＳ６に進み、発光ダイオードＡ、Ｂが消灯制御され、待機状態に戻る。
【００５９】
待機状態で、赤外線信号の入力を判別するとステップＳ１からステップＳ７に進む。赤外線信号の入力判別は、赤外搬送波の周波数が３８ｋＨｚ±２ｋＨｚの周波数であるかどうかで判別するもので、図２のブロック図において、制御回路部１１で、パルス波形の一次復調信号が入力されたときに、赤外線信号が入力されたと判別する。従って、演出具１がイベント中に赤外イベント信号を受けた際のみならず、リモコンからの赤外リモコン信号を受けた際にも、ステップＳ１からステップＳ７に進む。
【００６０】
スイッチ入力を判別するステップＳ２より先に、ステップＳ１で、赤外線信号の入力を判別するので、イベント中に赤外イベント信号が発信されている間若しくはリモコンから赤外リモコン信号を発信している間は、スイッチ入力があっても上記ステップＳ３の動作は行わない。これにより、制御信号による制御やリモコンによる制御を優先させ、イベント中に特定の演出具１のみが点滅しないようになっている。
【００６１】
ステップＳ７では、入力と判別した赤外線信号が、イベント中に赤外信号発光部２１から発光されたものであるかを、リーダーコードの有無で判別するもので、既述のように、制御回路部１１に入力される一次復調信号に、３ｍｓｅｃ幅のＨレベルに引き続き２ｍｓｅｃ幅のＬレベルの組み合わせからなるリーダーコードを含む場合には、一次復調信号が、赤外イベント信号の制御信号であるとみなし、ステップＳ１０へ進み、このリーダーコードを含まない場合には、リモコン等から発光された他の赤外信号と判別し、ステップＳ８に進む。ステップＳ８では、更に、赤外信号が赤外リモコン信号であるかどうかを判別するもので、一次復調信号に、２００ｕｓｅｃ乃至１３００ｕｓｅｃのパルス幅のパルス波形が、２ｍｓｅｃ以内に再び出現する場合に、赤外リモコン信号の入力と判別し、ステップＳ９へ進む。
【００６２】
既述のように、３８±０．５ＫＨｚの周波数で復調した一次復調信号は、パルス波形信号であり、図４のリモコン信号Ａ乃至Ｃに例示したように、多種類のフォーマットで形成されているが、いずれもカスタムコード若しくはデータを表すパルスのパルス幅は２００ｕｓｅｃ乃至１３００ｕｓｅｃである。また、このようなパルスを、少なくとも２以上のコード若しくはデータ毎に送出し、そのパルス間の間隔、すなわち休止期間は、最長でも１．８５ｍｓｅｃであることから、前記パルス幅のパルスが２ｍｓｅｃ以内に再び表れるという条件を、ほぼ全ての種類の赤外リモコン信号が満たすものとなる。これに対し、自然光や蛍光灯に含まれる赤外線を３８±０．５ＫＨｚの周波数で復調した一次復調信号に、上記幅のパルス幅が表れることは極めて希であり、また、２ｍｓｅｃ以内に再び出現することもないので、これらの赤外線から赤外リモコン信号を確実に識別できる。
【００６３】
尚、一般の赤外線と赤外リモコン信号との判別は、既知の種々の赤外リモコン信号のフォーマットと逐次比較し、いずれかに一致することを判別条件としてもよい。
【００６４】
ステップＳ９では、赤外リモコン信号が入力されたものと判別して、その一次復調信号をデコードせずに、すなわち、一次復調信号に含まれるコード若しくはデータにかかわらず、発光ダイオード６Ａ、６Ｂをランダムに点滅制御する。
【００６５】
家庭で用いるほぼ全てのリモコンから送信される赤外リモコン信号をステップＳ８で判別できるので、いずれのリモコンを用いても、家庭に持ち帰った演出具１が漏れなく動作し、発光ダイオード６Ａ、６Ｂをリモコンで点滅させるおもちゃとして利用できる。
【００６６】
点滅動作が開始した後は、ステップＳ３からの処理と同様に、ステップＳ４、ステップＳ５、ステップＳ６により、タイマーセット期間中その動作が継続し、待機状態に戻る。
【００６７】
ステップＳ８でリモコンの制御信号と判別されなかった場合には、他の赤外線による誤認識とみなし、ステップＳ４、ステップＳ５、ステップＳ６により、タイマーセット期間を経た後、待機状態に戻る。
【００６８】
ステップＳ７において、赤外イベント信号の入力と判別した場合には、更に、ステップＳ１０、１１、１２において、その一次復調信号、すなわち制御信号に含まれるデータコードをデータコードＡ、Ｂ、Ｃと比較し、各々一致した場合には、ステップＳ１３、１４、１５に示される所定の動作を実行する。
【００６９】
ステップＳ１３、１４、１５による演出具１の動作は、観覧エリア内にある全ての演出具１が同時に実行するので、イベント中の所定のタイミング、例えば、観覧エリアに流される音楽の拍子に合わせたり、司会者のかけ声に合わせて全ての演出具１の発光ダイオード６Ａ、６Ｂが同時に点滅し、各観客がイベントの進行に一体感を持って参加できる。
【００７０】
上記の実施の形態では、夜間の屋外若しくは室内で行われるイベントで観客が所持する演出具１に対して、発光ダイオード６Ａ、６Ｂの点滅制御を行うので、演出具１の発光部４の点滅が特に効果的である。しかしながら、例えば、制御信号で実行される動作は、発光ダイオード６Ａ、６Ｂの点滅動作に限らず、例えば、演出具１から所定の音を出したり、振動させるものであってもよい。
【００７１】
また、イベントの観覧エリアは、一箇所に集中する例で説明したが、複数の観覧エリアに分散させ、観覧エリア毎に制御信号を含む赤外イベント信号を送出し、制御信号による動作を実行させるものであってもよい。
【００７２】
また、制御信号を赤外イベント信号に含めて送信するものであれば、上述の実施の形態による変調方式に限らず、他の変調方式であってもよい。
【００７３】
更に、演出具１は、上述のようなスティック状に限らず種々の形状とすることができ、また、観客が身につけるアクセサリーやバッチに上述の機能を備えさせたものであってもよい。
【００７４】
【発明の効果】
以上説明したように、請求項１の発明によれば、音楽、アトラクションに同期して観客が所有する演出具が一斉に所定の動作を実行するので、観客がイベントの進行と一体感をもって参加できる。
【００７５】
また、イベント中は、赤外イベント信号に含まれる制御信号で演出具が動作するので、イベントに使用する電子機器から発生する電波による誤動作がない。
【００７６】
演出具は、電波を受信する受信部を設ける必要がなく、更に、家庭用リモコンとして汎用されている受光素子、復調素子を用いることができるので、安価に製造できる。
【００７７】
更に、演出具は、家庭内に持ち帰った後も、リモートコントロール送信機で動作するおもちゃとして利用できるので、演出具が出回り、演出具をより普及させることができる。
【００７８】
また、請求項２と請求項４の発明によれば、赤外イベント信号による制御が優先されるので、イベント中に、赤外リモコン信号を受けたり、操作スイッチの入力操作が行われても、動作部が動作することがなく、観覧エリアにある全ての演出具を赤外イベント信号により同時に動作させることができる。
【００７９】
また、請求項３の発明によれば、自然光や蛍光灯から発する赤外線から、ほぼ全ての種類の赤外リモコン信号を効率的に判別することができ、家庭で用いるほぼ全てのリモコンで、漏れなく動作制御できる演出具とすることができる。
【００８０】
請求項５の発明によれば、更に、これらの発明の効果に加えて、夜間や屋内で行うイベントに用いる演出具の表示用発光素子を点滅制御するので、よりその動作が引き立ち、効果的に演出ができる。
【図面の簡単な説明】
【図１】本発明の一実施の形態に係る演出具１の正面図である。
【図２】演出具１の内部構成を示すブロック図である。
【図３】演出具１を使用するイベントの概要を表す説明図である。
【図４】赤外リモコン信号と赤外イベント信号の各波形を示す波形図である。
【図５】演出具１の動作を表すフローチャートである。
【図６】従来の演出具１００がイベントに用いられる状態を示す説明図である。
【図７】従来の演出具１００の縦断面である。
【符号の説明】
１　　イベントの演出具
３　　赤外受光部（受光部）
５　　操作スイッチ
６Ａ　Ａ群のＬＥＤ（動作部）
６Ｂ　Ｂ群のＬＥＤ（動作部）
１０　波形整形回路（復調部）
１１　制御回路部（判別部）
【図１】
2004113305.tif 000003
【図２】
2004113305.tif 000004
【図３】
2004113305.tif 000005
【図４】
2004113305.tif 000006
【図５】
2004113305.tif 000007
【図６】
2004113305.tif 000008
【図７】
2004113305.tif 000009